(57)【特許請求の範囲】
【請求項１】
前部座席の背凭れ部１の後部座席側から見て左側位置と右側位置に、前記背凭れ部１に内設された支持孔２に連通するステー挿入孔３を備えた左側ガイド部材４ａと右側ガイド部材４ｂとを、それぞれ所定間隔を有して突設し、且つヘッドレスト５の下面に垂設された２本のステー６を、前記各左・右側ガイド部材４ａ・４ｂのステー挿入孔３を介して支持孔２内に挿入するヘッドレスト装置において、
前記左側ガイド部材４ａと右側ガイド部材４ｂ上に、該左側ガイド部材４ａと右側ガイド部材４ｂとに対応する左側キャップ７ａと右側キャップ７ｂとをそれぞれ被冠固定すると共に、該左側キャップ７ａと右側キャップ７ｂとに支持棒８を横方向に貫通固定し、
前記左側キャップ７ａと右側キャップ７ｂとは、下面部に前記各左・右側ガイド部材４ａ・４ｂの上方より密嵌できる逆凹部１１を凹設すると共に、該逆凹部１１のやや上方後方寄りに支持棒８を横方向に貫挿する横孔１２と、ステー６を縦方向に貫挿する縦孔１３とを前記横孔１２よりやや前方寄りにそれぞれ設けて形成され、
更に、前記右側ガイド部材４ｂの底面部および右側キャップ７ｂの底面部の右側下面に挿入する半円状凹部１７を備えた挿入片１８を設けると共に、該挿入片１８の右側端縁に螺子装入凹部１９を設けた取付片２０を直角に立設してブラケット１６が形成され、且つ該ブラケット１６の螺子装入凹部１９に取付螺子２１を装入して、右側キャップ７ｂに横設された螺子孔２２に螺挿して、該右側キャップ７ｂと右側ガイド部材４ｂとを一体に固定し、前記支持棒８に固定された装着部材１０に、モニター９を装着固定したことを特徴とする自動車座席へのモニター取付装置。
【発明の詳細な説明】
【０００１】
【発明の属する技術分野】
本発明は、乗用車内の前部座席のヘッドレスト部に、後部座席に座った人が見えるようにモニターを取付ける自動車座席へのモニター取付装置に関するものである。
【０００２】
【従来の技術】
従来、前部座席のヘッドレスト部にモニターを取付ける場合、図４に示すように、モニター５１を装着固定する装着部材５２の一端部に蝶番部材５３を取付け、該蝶番部材５３に、ヘッドレスト５４の２本のステー５５の前・後方側から、該ステー５５を挟持する挟持片５６・５７を開閉自在に取付け、前記蝶番部材５３により、該挟持片５６・５７でステー５５を挟持し、且つ該各挟持片５６・５７の先端部に固定ビス５８を螺挿して、前記両挟持片５６・５７を固定した後、モニター５１を装着部材５２に突設された固定ボルト５９に螺合して装着固定していた。
【０００３】
【発明が解決しようとする課題】
しかしながら、前記従来のテレビモニター取付方法では、モニター５１の装着部材５２の蝶番部材５３に取付けられた挟持片５６・５７で単にステー５５を挟持しているだけで、強固に固定されていないので、モニター５１がエンジンや走行中の振動により傾斜したり、ブレたりするという課題があった。
【０００４】
本発明は、前記課題を解決すべくなしたもので、モニターがエンジンや走行中の振動により傾いたり、ブレたりすることのない自動車座席へのモニター取付装置を提供しようとするものである。
【０００５】
【課題を解決するための手段】
本発明は、前部座席の背凭れ部１の後部座席側から見て左側位置と右側位置に、前記背凭れ部１に内設された支持孔２に連通するステー挿入孔３を備えた左側ガイド部材４ａと右側ガイド部材４ｂとを、それぞれ所定間隔を有して突設し、且つヘッドレスト５の下面に垂設された２本のステー６を、前記各左・右側ガイド部材４ａ・４ｂのステー挿入孔３を介して支持孔２内に挿入するヘッドレスト装置において、
前記左側ガイド部材４ａと右側ガイド部材４ｂ上に、該左側ガイド部材４ａと右側ガイド部材４ｂとに対応する左側キャップ７ａと右側キャップ７ｂとをそれぞれ被冠固定すると共に、該左側キャップ７ａと右側キャップ７ｂとに支持棒８を横方向に貫通固定し、
前記左側キャップ７ａと右側キャップ７ｂとは、下面部に前記各左・右側ガイド部材４ａ・４ｂの上方より密嵌できる逆凹部１１を凹設すると共に、該逆凹部１１のやや上方後方寄りに支持棒８を横方向に貫挿する横孔１２と、ステー６を縦方向に貫挿する縦孔１３とを前記横孔１２よりやや前方寄りにそれぞれ設けて形成され、
更に、前記右側ガイド部材４ｂの底面部および右側キャップ７ｂの底面部の右側下面に挿入する半円状凹部１７を備えた挿入片１８を設けると共に、該挿入片１８の右側端縁に螺子装入凹部１９を設けた取付片２０を直角に立設してブラケット１６が形成され、且つ該ブラケット１６の螺子装入凹部１９に取付螺子２１を装入して、右側キャップ７ｂに横設された螺子孔２２に螺挿して、該右側キャップ７ｂと右側ガイド部材４ｂとを一体に固定し、前記支持棒８に固定された装着部材１０に、モニター９を装着固定するという手段を採用することにより、上記課題を解決した。
【０００６】
【発明の実施の形態】
本発明の実施の形態を図面に基づいて詳細に説明すると、図１は本発明自動車座席へのモニター取付装置の第１の実施の形態を示す組立分解斜視図であり、乗用車の前部座席の背凭れ部１上の後部座席側から見て左側位置と右側位置に、前記背凭れ部１に内設された支持孔２に連通するステー挿入孔３を備えた左側ガイド部材４ａと右側ガイド部材４ｂが、それぞれ所定間隔を有して突設され、且つヘッドレスト５の下面に垂設された２本のステー６を、前記各左・右側ガイド部材４ａ、４ｂのステー挿入孔３を介して支持孔２内に挿入することにより、前記ヘッドレスト５は前記背凭れ部１上に装着固定される。
【０００７】
そして、前記左側ガイド部材４ａと右側ガイド部材４ｂ上に、該左側ガイド部材４ａと右側ガイド部材４ｂとに対応する左側キャップ７ａと右側キャップ７ｂとをそれぞれ被冠固定すると共に、該各左・右側キャップ７ａ、７ｂに支持棒８を貫通固定し、更に該支持棒８の左側端部側にテレビ用のモニター９を装着固定する装着部材１０が固定されている。
【０００８】
前記各左・右側ガイド部材４ａ、４ｂ上に、それぞれ被冠固定される左・右側キャップ７ａ、７ｂは、下面部に該左・右側ガイド部材４ａ、４ｂの上方より密嵌できる逆凹部１１を凹設すると共に、該逆凹部１１のやや上方後方寄りに支持棒８を横方向に貫挿する横孔１２を設け、更にステー６を縦方向に貫挿する縦孔１３を前記横孔１２よりやや前方寄りに設けて形成されている。
【０００９】
前記各左・右側キャップ７ａ、７ｂの各横孔１２に支持棒８を貫挿すると共に、該各左・右側キャップ７ａ、７ｂを前記各左・右側ガイド部材４ａ、４ｂと同一間隔で前記支持棒８に固定すべく、前記各左・右側キャップ７ａ、７ｂの前方側から横孔１２に向って刻設された螺子孔１４に、締付けボルト１５を螺挿して、該締付けボルト１５の先端を支持棒８に圧接することにより、左側キャップ７ａは前記支持棒８の中央部付近に、また右側キャップ７ｂは支持棒８の右側端部側にそれぞれ強固に固定される。
【００１０】
そして、前記左側キャップ７ａ側の支持棒８の左側端部側にモニター９を取付けて、前記支持棒８の左側端部側に重量がかかっても、該支持棒８の右側端部側が動揺することがないよう、前記右側キャップ７ｂが、右側ガイド部材４ｂにブラケット１６を用いて強固に固定され、前記支持棒８の左右のバランスを取っている。
【００１１】
すなわち、前記ブラケット１６は、下面に右側ガイド部材４ｂの底面部および右側キャップ７ｂの底面部の右側下面に挿入する半円状凹部１７を備えた挿入片１８を設けると共に、該挿入片１８の右側端縁に螺子装入凹部１９を設けた取付片２０を直角に立設して形成されている。そして、前記螺子装入凹部１９に取付螺子２１を装入して、右側キャップ７ｂに横設された螺子孔２２に螺挿することにより、右側キャップ７ｂと右側ガイド部材４ｂとは強固に一体に固定される。なお、前記ブラケット１６には、ステー６の挿入時の障害とならないよう半円状凹部１７が形成されている。
【００１２】
更に、前記左側キャップ７ａより左側方向へ突出した支持棒８の左側端縁部には、モニター９を装着固定する装着部材１０が固定されている。前記装着部材１０は、特に限定する必要はないが、好ましくは図１に示す従来公知のものを使用することが推奨される。すなわち、前記装着部材１０は、横方向に貫通した貫通孔２３に支持棒８を貫挿して固定されており、且つ該装着部材１０を構成する前後・左右方向に回動可能に取付けられた取付具２４の前面側に突設された取付突起２５を、モニター９の背面に固定されるブラケット２６のスライド用スリット２７に挿入して、該ブラケット２６を上下方向にスライドさせて上下位置での調整ができるよう構成されている。
【００１３】
なお、図中２８は取付具２４に突設された調整ノブで、該調整ノブ２８を回動させることにより、前記取付突起２５の背面に取付けられたゴムパッキング２９が、前記調整ノブ２８と共に後退して、該ゴムパッキング２９が前記ブラケット２６の背面に圧着して、該ブラケット２６を取付具２４に適位置で強固に固定し、然る後、取付ボルト３０により、前記モニター９をブラケット２６に固定する。また、図中３１は前記取付具２４の角度を調整した後、その角度で固定する固定ノブであって、該固定ノブ３１を緩めると、取付具２４が前後・左右方向に回動可能となって、モニター９の角度を自由に調整でき、前記固定ノブ３１を締付けることにより、取付具２４はその位置で固定され、前記モニター９の角度が決定する。
【００１４】
図３は、本発明自動車座席へのモニター取付装置の第２の実施の形態を示す組立分解斜視図である。前記図１においては、モニター９の装着部材１０が、左側キャップ７ａより左側方向へ長く突出した支持棒８の左側端縁部に貫通固定されているが、図３においては、支持棒８の中央部に前記装着部材１０が、貫通孔２３を介して貫通固定されており、モニター９をヘッドレスト５の背面に取付けることができると共に、左側キャップ７ａおよび右側キャップ７ｂの該支持棒８への取付位置が、前記装着部材１０を中心にして左右対称位置になっている。その他の構成および作用は、図１のものと同一であるので説明を省略する。
【００１５】
前記構成より成る本発明によれば、ステー６にモニター９が取付けられるのでなく、左・右側キャップ７ａ、７ｂにそれぞれ強固に固定された支持棒８に、前記モニター９が装着部材１０を介して取付けられているので、乗用車のエンジンや走行中の振動によりモニター９が傾斜したり、ブレたりすることが防止される。
【００１６】
【発明の効果】
本発明は上述のようであるから、従来のようにステーにモニターが取付けられておらず、他端部を背凭れ部のガイド部材に強固に固定された支持棒の一端部、または中央部に取付けられていて、乗用車のエンジンや走行中の振動によりモニターが傾いたり、ブレたりすることがない。
【図面の簡単な説明】
【図１】本発明自動車座席へのモニター取付装置の第１の実施の形態を示す組立分解斜視図である。
【図２】本発明自動車座席へのモニター取付装置の要部の縦断面図である。
【図３】本発明自動車座席へのモニター取付装置の第２の実施の形態を示す組立分解斜視図である。
【図４】従来の自動車座席へのモニター取付装置の組立分解斜視図である。
【符号の説明】
１ 背凭れ部、  ２  支持孔、  ３  ステー挿入孔、  ４ａ  左側ガイド部材、  ４ｂ  右側ガイド部材、  ５  ヘッドレスト、  ６  ステー、  ７ａ  左側キャップ、  ７ｂ  右側キャップ、  ８  支持棒、  ９  モニター、  １０  装着部材、  １１  逆凹部、  １２  横孔、  １３  縦孔、  １４  螺子孔、  １５  締付けボルト、  １６  ブラケット、  １７  半円状凹部、  １８  挿入片、  １９  螺子装入凹部、  ２０  取付片、  ２１  取付螺子、  ２２  螺子孔。
【図１】
0004068904.tif 000002
【図２】
0004068904.tif 000003
【図３】
0004068904.tif 000004
【図４】
0004068904.tif 000005